(57)【要約】【課題】乾式安全器において、逆火消炎部材を小さく形成しても大流量を流すことができるようにする。【解決手段】逆火流が流入する側の流路を分岐して複数の分岐流路（３１）を設ける。この分岐流路（３１）の外周に筒状の消炎フィルター（４１）を装着する。大流量の逆火流が発生した場合、逆火流は複数の分岐流路（３１）に分割して流れ、各分岐流路（３１）のそれぞれの消炎フィルター（４１）で消炎される。したがって消炎フィルターとして小型のものを使用することができる。【選択図】        図１
2005016795.tif 000002
【特許請求の範囲】
【請求項１】
本体内に逆火流のとき流路を遮断する遮断弁機構と該逆火流の火炎を消炎する逆火消炎部材を設けた乾式安全器において、上記逆火流が流入する側の流路を複数に分岐し、各分岐流路に逆火消炎部材を設けたことを特徴とする乾式安全器。
【請求項２】
一側に主流路を有するフィルター板を形成し、該フィルター板の他側に主流路に開口する複数の分岐口を設け、該分岐口に分岐流路を設けた請求項１に記載の乾式安全器。
【請求項３】
上記フィルター板は主流路が本体の二次側方向に面している請求項２に記載の乾式安全器。
【請求項４】
上記フィルター板は主流路が本体の一次側方向に面している請求項２に記載の乾式安全器。
【請求項５】
通孔を有するフィルター軸筒を上記フィルター板の分岐口に取り付け、該フィルター軸筒の外周に筒状の消炎フィルターを装着し、該フィルター軸筒の頭部とフィルター板の基部間で該消炎フィルターを締着するようにした請求項２〜４のいずれかに記載の乾式安全器。
【発明の詳細な説明】
【０００１】
【発明の属する技術分野】
本発明は可燃性ガスが逆火を伴って逆流した際、ガス供給側に逆火が流入しないようにした乾式安全器に関するものである。
【０００２】
【従来の技術】
ガス溶接、切断、加熱等可燃性ガスを使用する作業現場においては、作業時に発生する逆火流をガス流路の途中で阻止し爆発や火災等の二次災害を生じないようにするための安全器が使用されている。この種の安全器として、水封式安全器と乾式安全器が広く知られている。水封式安全器は、可燃性ガスを水又は不燃性の液体中に通過させることにより、ガスの流れを分断して火炎や爆ごう波の伝播を阻止するように構成されている。一方、乾式安全器は、逆火流を遮断する遮断弁機構と、逆火流の火炎を消炎する焼結金属等で形成した逆火消炎部材を有し、比較的流量の少ない場合に好適に使用されている。
【０００３】
上記水封式安全器は、一般に大流量の場所で使用されているが、装置全体が大型化し、管理も面倒である。また、乾式安全器は手軽に使用することができるが、大流量が流れるような場所で使用することがむずかしい。すなわち、流量を大きくするには流路の内径を拡大し、逆火消炎部材の直径も大きくしなければならないが、該逆火消炎部材を焼結金属で成形するにあたって、全体の形状を大きな形状に形成すると、内部にすが入ったりして満足すべきものが得られない。そのため、小さな逆火消炎部材を直列に２つ組み合せることにより消炎部材を通過する流量を増加させ大流量に対応できるようにした乾式安全器も知られている（例えば、特許文献１参照）が、さらに流量を増大できるよう直列に組み合せる消炎部材数を増やすと、乾式安全器の全体の長さが長くなり、構成も複雑になって、製造や取扱いに不便となる。
【０００４】
【特許文献１】
特開２０００−３０４２１８号公報（図１）
【０００５】
【発明が解決しようとする課題】
本発明は、上記の如き乾式安全器において、大流量が流れる場所でも使用することができ、逆火消炎部材の成形も容易にできるようにした乾式安全器を提供することである。
【０００６】
【課題を解決するための手段】
本発明によれば、本体内に逆火流のとき流路を遮断する遮断弁機構と該逆火流の火炎を消炎する逆火消炎部材を設けた乾式安全器において、上記逆火流が流入する側の流路を複数に分岐し、各分岐流路に逆火消炎部材を設けたことを特徴とする乾式安全器が提供され、上記課題が達成される。
【０００７】
【発明の実施の形態】
図１は本発明の一実施例を示し、筒状本体（１）の一次側（Ａ）には、一次側本体（２）がねじ着（３）され、二次側（Ｂ）には二次側本体（４）がねじ着（５）されている。上記筒状本体（１）内には、遮断弁機構を構成するスピンドル（６）と逆止弁本体（７）が挿入されている。この遮断弁機構は、適宜に構成することができるが、図１に示す実施例では下記するように、例えば上記特許文献１に示す如き機構とほぼ同様に構成されている。
【０００８】
すなわち、上記スピンドル（６）は径大部（８）がＯリング（９），（９）を介して筒状本体（１）に摺接し、一次側方向に形成した径小部（１０）にＯリング（１１）を設けて筒状本体（１）の開口縁（１２）に内接可能であり、通孔（１３）を有し、スピンドルばね（１４）で二次側方向へ付勢され、上記Ｏリング（９），（９）間にボール（１５）が嵌入する環状溝（１６）が設けられている。
【０００９】
上記スピンドル（６）に内接する逆止弁本体（７）は、一次側の先端にＯリング（１７）を有し、逆止弁ばね（１８）により該Ｏリング（１７）がスピンドル（６）に形成した座部（１９）に当接するよう一次側方向に付勢され、通孔（２０）を有している。
【００１０】
上記筒状本体（１）の外周には、スリーブ（２１）が嵌挿され、該スリーブ（２１）は筒状本体（１）に形成した段部（２２）に当接するまで二次側方向へ移動できるようスリーブばね（２３）で二次側方向に付勢され、上記ボール（１５）を外方から押圧できる内方突起（２４）を有している。
【００１１】
上記の如きスピンドル（６）及び逆止弁本体（７）により、流路（２５）を通って正常流が一次側から二次側に流れ、逆流が生じた際に逆流圧によりスピンドル（６）及び逆止弁本体（７）が流路（２５）を遮断する。これらの作用等については公知であるので詳述しない。
【００１２】
上記二次側本体（４）は、ボルト（２６）により連結された一次側フランジ（２７）と二次側フランジ（２８）を有し、該フランジ（２７），（２８）  間で筒状のケース（２９）を挟着し、該ケース（２９）内にフィルター板（３０）が設けられ、該フィルター板（３０）により複数の分岐流路（３１）…が形成される。
【００１３】
上記フィルター板（３０）の基部（３２）の一側には、円盤状に凹んだ主流路（３３）が形成され、他側には該主流路（３３）に開口するよう複数の、図に示す実施例では６個の分岐口（３４）…が同心円上に設けられ、中央には軸部（３５）が設けられている。上記分岐口（３４）には、通孔（３６）を有し分岐流路（３１）を構成するフィルター軸筒（３７）がねじ着（３８）され、該フィルター軸筒（３７）の外周に座金（３９），パッキン（４０）を介して筒状の消炎フィルター（４１）が装着されている。該フィルター（４１）は、上記フィルター軸筒（３７）をフィルター板（３０）にねじ着する際、上記フィルター軸筒（３７）の頭部（４２）と基部（３２）間で挟着される。なお、実施例では逆火消炎部材として焼結金属で形成した筒状の消炎フィルターを示してあるが、それ以外の適宜の構造、材質の部材を用いることもできる（図示略）。また、図に示す実施例では各分岐流路の内径は同じであるが、設置する部位により内径を変えたり、同心円周上に設けずに適宜に分散して設けてもよい。
【００１４】
上記フィルター板（３０）は、図においては、上記基部（３２）に設けた主流路（３３）が二次側方向に面するように上記基部（３２）を上記ボルト（２６）により二次側フランジ（２８）に固着してあるが、上記主流路（３３）が一次側方向に面するように上記基部（３２）を一次側フランジ（２７）側に固着するようにしてもよい（図示略）。なお、シールが必要とされる各所には、Ｏリング（４３）が設けられている。
【００１５】
而して、一次側から可燃性ガスが流入すると、供給ガス圧により上記遮断弁機構を開いてスピンドル（６）の通孔（１３）、逆止弁本体（７）の通孔（２０）を通り、複数の消炎フィルター（４１）に分岐してその外周から内周へ通り抜け、複数のフィルター軸筒（３７）の通孔（３６）、分岐流路（３１）を通って主流路（３３）に集まり、二次側に正常流として流れる。
【００１６】
逆火を伴う逆火流が生じると、二次側フランジ（２８）側から流入した逆火流は、主流路（３３）を通り複数の分岐流路（３１）に分割して流れ、各消炎フィルター（４１）を通過する際に火炎が消炎され、各消炎フィルター（４１）を通過した後に集合して上記遮断弁機構に達し、該遮断弁機構で遮断され、一次側への流入が阻止される。
【００１７】
【発明の効果】
本発明は上記のように構成され、逆火流が流入する側の流路を複数に分岐し、各分岐流路に逆火消炎部材を設けるようにしたから、大流量を流すことができるよう流路の内径を大きく形成する場合でも分岐流路の数を増加させることにより各分岐流路の内径を小さく形成することができ、それにより上記逆火消炎部材として小さな部材を用いることが可能であり、該逆火消炎部材の成形も容易となり、製造も簡単で経済的に得ることができる。
【図面の簡単な説明】
【図１】本発明の一実施例を示す一部断面正面図。
【図２】概略側面図。
【符号の説明】
１…筒状本体
２…一次側本体
４…二次側本体
６…スピンドル
７…逆止弁本体
２７…一次側フランジ
２８…二次側フランジ
２９…ケース
３０…フィルター板
３１…分岐流路
３２…基部
３３…主流路
３４…分岐口
３７…フィルター軸筒
４１…消炎フィルター
【図１】
2005016795.tif 000003
【図２】
2005016795.tif 000004